(57)【特許請求の範囲】
【請求項１】
縦方向を長手方向とする長方形状で且つ上部に出入開口を有する収納部と、縦方向に沿って形成された折曲部と該折曲部を介して二つ折り状に対向する板状部とからなる芯材と、該芯材を被覆する柔軟性を有する被覆材とからなる保護体とを備え、該保護体の縦方向と前記収納部の縦方向とを一致させて前記保護体が前記収納部に収納されると共に該収納部の前記出入開口箇所では前記保護体の前記折曲部付近で前記両板状部は相互に離間しつつ開き状に構成され、前記収納部の横方向一端側には縦方向に沿ってポケット開口を有するポケットが具備され、前記ポケット開口にはケース本体外部に突出可能な収納袋が連続形成され、該収納袋の材質はクリーニングクロスとし、前記収納部は、外側の袋を構成する外面構成部と、内側の袋を構成する内面構成部とからなり、前記外面構成部と前記内面構成部とによって、前記収納部は中空となる二層構造とされ、前記収納袋は前記外面構成部と前記内面構成部との間のスペースに配置されてなることを特徴とするメガネケース。
【請求項２】
請求項１において、前記保護体は、前記折曲部は円弧状に形成されると共に前記折曲部と前記両板状部によって前記収納部の前記出入開口箇所付近で扁平Ｃ字形状に構成されてなることを特徴とするメガネケース。
【請求項３】
請求項１又は２において、前記芯材は、合成樹脂板が使用されてなることを特徴とするメガネケース。
【請求項４】
請求項１，２又は３の何れか１項の記載において、前記収納部の前記出入開口内周側に付根部を有する手提げ部が具備されてなることを特徴とするメガネケース。
【発明の詳細な説明】
【技術分野】
【０００１】
本発明は、メガネの出し入れが簡単にできると共に、収納時におけるメガネを十分に保護することができるメガネケースに関する。
【背景技術】
【０００２】
従来、メガネケースは、ハードタイプ及びソフトタイプのケースが多数存在している。ハードタイプのメガネケースでは、メガネを保護することは十分にできる。その反面、形状のサイズが大きく嵩張り、鞄やバッグに収納するにも、比較的大きな容積を占有してしまうものである。また、長期に亘って、蓋の開閉を行ううちに、蓋の蝶番が壊れたり、或いは緩くなって、蓋を閉じた状態を維持し難くなるという問題があった。
【０００３】
これに対してソフトタイプのメガネケースでは、体積が比較的小さく、衣服のポケットにも入れることができる等の利点がある。また、ハードケースよりも軽量であり、そのほとんどが柔軟性のある布，革或いは合成樹脂から構成されている。このようなことから、メガネケースは、近年ソフトケースが多く採用されている。
【先行技術文献】
【特許文献】
【０００４】
【特許文献１】特開平９−１０８０２８号公報
【特許文献１】特開２００７−９７９５５号公報
【発明の概要】
【発明が解決しようとする課題】
【０００５】
ところで、ソフトタイプのメガネケースには、欠点も存在する。特許文献１には、極めて一般的且つ代表的なソフトタイプのメガネケースが開示されている。この特許文献１を見ると、そのほとんどは、メガネを衝撃から保護することについては、ハードタイプのメガネケースよりも大きく劣るものである。また、メガネの出し入れも、ハードタイプのメガネケースよりも面倒であることが多い。
【０００６】
特許文献２では、メガネを外部からの衝撃から保護するためにメガネケースと共に芯材が使用されている。これによって、ソフトタイプのメガネケースでありながら、メガネの保護ができる。しかし、特許文献２では、芯材をメガネケースから取り外してから芯材にメガネを収納し、それから芯材をメガネケースに収納するという面倒な収納作業となる。
【０００７】
これは、メガネをメガネケースに収納する以外にメガネをメガネケースから取り出すときにも、まず芯材を取り出し、その後で、該芯材からメガネを取り出すという面倒な作業となる。そこで、本発明の目的（解決しようとする技術的課題）は、極めて簡単な構造で、メガネの出し入れが簡単で、且つメガネの保護性も必要且つ十分なものにすることができるソフトタイプのメガネケースを提供することにある。
【課題を解決するための手段】
【０００８】
そこで、発明者は、上記課題を解決すべく、鋭意，研究を重ねた結果、請求項１の発明を、縦方向を長手方向とする長方形状で且つ上部に出入開口を有する収納部と、縦方向に沿って形成された折曲部と該折曲部を介して二つ折り状に対向する板状部とからなる芯材と、該芯材を被覆する柔軟性を有する被覆材とからなる保護体とを備え、該保護体の縦方向と前記収納部の縦方向とを一致させて前記保護体が前記収納部に収納されると共に該収納部の前記出入開口箇所では前記保護体の前記折曲部付近で前記両板状部は相互に離間しつつ開き状に構成され、前記収納部の横方向一端側には縦方向に沿ってポケット開口を有するポケットが具備され、前記ポケット開口にはケース本体外部に突出可能な収納袋が連続形成され、該収納袋の材質はクリーニングクロスとし、前記収納部は、外側の袋を構成する外面構成部と、内側の袋を構成する内面構成部とからなり、前記外面構成部と前記内面構成部とによって、前記収納部は中空となる二層構造とされ、前記収納袋は前記外面構成部と前記内面構成部との間のスペースに配置されてなるメガネケースとしたことにより上記課題を解決した。
【０００９】
請求項２の発明を、請求項１において、前記保護体は、前記折曲部は円弧状に形成されると共に前記折曲部と前記両板状部によって前記収納部の前記出入開口箇所付近で扁平Ｃ字形状に構成されてなるメガネケースとしたことにより、上記課題を解決した。
【００１０】
請求項３の発明を、請求項１又は２において、前記芯材は、合成樹脂板が使用されてなるメガネケースとしたことにより、上記課題を解決した。
【００１１】
請求項４の発明を、請求項１，２又は３の何れか１項の記載において、前記収納部の前記出入開口内周側に付根部を有する手提げ部が具備されてなるメガネケースとしたことにより、上記課題を解決した。
【発明の効果】
【００１２】
請求項１の発明では、保護体は、横方向の一端側に設けられた折曲部と該折曲部を介して二つ折り状に対向する板状部とを有する芯材と、該芯材を被覆する柔軟性を有する被覆材とからなるものである。そして、保護体は、前記収納部に収納されると共に該収納部の前記出入開口箇所では前記保護体の前記折曲部付近で前記両板状部は相互に離間しつつ開き状に構成されるようにしたものである。
【００１３】
このような構成としたことにより、メガネを収納部に収納するときに、該収納部の前記出入開口箇所では、折曲部により保護体の両板状部は相互に離間した状態であることにより、メガネの出し入れが行い易くできる。また、収納部に収納された保護体の両板状部の開きは、収納部によって、開き具合は規制され、両板状部はメガネを保持するには丁度良い間隔となる。これによって、収納部に収納されたメガネは、保護体を介して固定され、且つ保護される。
【００１４】
さらに、収納部の外部から手で横方向両端を軽く握ることによって、収納部に収納された保護体が収納部の前後方向（奥行方向）に膨らむ。そして、保護体の両板状部の横方向中間箇所同士が、収納部の前後方向に沿って開き、両板状部によって、適正な圧力によって挟持固定されていたメガネに対する挟持圧力を減少させることができる。
【００１５】
これによって、収納部を逆さまにすることで、メガネは、その重量のみで保護体から飛び出し、収納部から極めて容易に取り出すことができるものである。このように、本発明では、収納部を横方向両側に手で軽く握る程度の作業でメガネを簡単に取り出すことができる。
【００１６】
さらに、請求項１の発明では、収納部の横方向一端側には縦方向に沿ってポケット開口を有するポケットが具備されたことにより、メガネ専用のクリーニングシート等を収納することができる。さらに、前記ポケットのポケット開口には収納部外部に突出可能な収納袋が連続形成され、該収納袋の材質をクリーニングクロスとしたことで、クリーニングシートが収納部に常備されたことになり別にクリーニングシートを備えておく必要がない。
【００１７】
請求項２の発明では、前記保護体は、前記折曲部は円弧状に形成されると共に前記折曲部と前記両板状部によって前記収納部の前記出入開口箇所付近で扁平Ｃ字形状に構成したものである。これによって、前記折曲部は、円弧状であるために特に弾性を有する材質でなくとも、前記折曲部に弾性を持たせることができる。つまり、両板状部を開き方向に弾性付勢し、両板状部を収納部内部で常時離間状態にすることができる。これによって、メガネを収納部に収納し易くすることができ、メガネの収納部からの出し入れを極めて簡単にすることができる。請求項３の発明では、前記芯材は、合成樹脂板が使用されたことにより、軽量且つ必要な強度を備えることができる。
【００１８】
請求項４の発明では、収納部の出入開口内周側に付根部を有する手提げ部が具備されたことにより、手提げ部を手提げとして使用する場合以外は、収納部内に収納し易くできる。また、手提げ部を収納部に収納したときには、収納部と保護体との間に、手提げ部を挟んでおくことができ、メガネの出し入れ時に手提げ部が邪魔になることがない。
【図面の簡単な説明】
【００１９】
【図１】（Ａ）はメガネを収納した状態の本発明のメガネケースの斜視図、（Ｂ）は（Ａ）のＹ1−Ｙ1矢視断面図、（Ｃ）は（Ａ）のＸ1−Ｘ1矢視断面図である。
【図２】（Ａ）はメガネと第１実施形態における両板状部が開き状態の保護体の斜視図、（Ｂ）はメガネが保護体の両板状部にて挟持状態で収納された斜視図である。
【図３】（Ａ）はメガネが収納された本発明のメガネケースの正面略示図、（Ｂ）は（Ａ）のＸ2−Ｘ2矢視断面略示図、（Ｃ）はメガネが収納された本発明のメガネケースを横方向両側から手で押圧力をかけた状態の正面略示図、（Ｄ）は（Ｃ）のＸ3−Ｘ3矢視断面略示図、（Ｅ）はメガネが収納されたメガネケースを横方向両側から手で押圧力をかけつつ逆さまにしてメガネを取り出す状態の背面図である。
【図４】（Ａ）は本発明のメガネケースのポケットからクリーニングクロスとした収納袋を突出させた状態の斜視図、（Ｂ）はポケットから突出したクリーニングクロスにてメガネを拭いている状態の斜視図である。
【図５】ケース本体内に手提げ部を収納した状態の斜視図である。
【発明を実施するための形態】
【００２０】
以下、本発明の実施形態を図面に基づいて説明する。本発明のメガネケースは、主に、ケース本体Ａと、保護体Ｂとから構成される（図１参照）。ケース本体Ａは、収納部１と、手提げ部２と、ポケット部３とを備えている。収納部１は、メガネ７を収納する部位であり、その外形は縦方向を長手方向とする縦長方形状で、略長封筒形状に形成されたものである〔図１（Ａ），（Ｂ）参照〕。
【００２１】
また、収納部１の縦方向は、該収納部１の上下方向或いは垂直方向でもある。そして、収納部１の縦方向の上端箇所には、出入開口１１が設けられている〔図１（Ａ）参照〕。収納部１は、前後方向（奥行方向）において、正面部１ｆと背面部１ｒとから構成される。さらに収納部１には横方向が存在する。横方向は前記縦方向（垂直方向）に直交する方向で水平方向となる。前述したそれぞれの方向は、図中に指示している。
【００２２】
正面部１ｆと背面部１ｒのそれぞれの横方向両側に収納部１の厚さ（奥行）部分を構成するためのマチは設けられていない。ただし、必要に応じてマチを設けても構わない。また、収納部１は、外側の袋を構成する外面構成部１ａと、内側の袋を構成する内面構成部１ｂとからなる。そして、外面構成部１ａと内面構成部１ｂとによって、収納部１は二層構造となる。
【００２３】
収納部１を構成する生地の材質は、布，ビニール等の軟質性の合成樹脂、革（合成皮革を含む）或いは紙材等である。また、前記外面構成部１ａは、厚生地が使用されることが多く、また内面構成部１ｂは薄生地が使用されることが多い。収納部１は、前記外面構成部１ａと前記内面構成部１ｂとの縁部分同士が縫製にて接合され、内部は中空である。
【００２４】
手提げ部２は、ケース本体Ａの収納部１の正面部１ｆと背面部１ｒの内面側に装着されており、略逆Ｕ字形状に形成されている。手提げ部２の収納部１に対する付根部２１は、収納部１の出入開口１１の内周側に設けられる〔図１（Ａ），（Ｂ）参照〕。さらに、前記付根部２１は、手提げ部２の先端が上方に折り返し状にして装着される〔図１（Ｂ）参照〕。これによって、手提げ部２を使用する際には、収納部１からそのまま引き出すことで手提げとして使用できる。
【００２５】
ポケット部３は、収納部１の横方向の何れか一方側の端部から縦方向（上下方向）に沿ってポケット開口３１が形成されている。該ポケット開口３１には、ファスナ３１ａが装着されている〔図１（Ａ）参照〕。ポケット部３のポケット開口３１には収納袋３２が連続的に形成されている。該収納袋３２は、前記外面構成部１ａと前記内面構成部１ｂとの間のスペースに配置される。
【００２６】
さらに、前記収納袋３２を構成する生地は、クリーニングクロスが使用される実施形態が存在する。この実施形態では、収納袋３２がクリーニングクロスであるために、前記ポケット開口３１から収納袋を引き出して、メガネ７のレンズを拭いてクリーニングすることができる。
【００２７】
次に、保護体Ｂは、芯材５と被覆材６とから構成される。芯材５は、折曲部５１と２つの板状部５２，５２とから構成され、折曲部５１の両側からそれぞれ板状部５２，５２が連続形成されたものである。芯材５は、折曲部５１を介して両板状部５２，５２が二つ折り状として対向するように構成されている（図２参照）。
【００２８】
折曲部５１は、芯材５の横方向の一端側に設けられ、縦方向（上下方向）に連続している。折曲部５１は、弾性を有しており、両板状部５２，５２を常時開く方向に付勢している。また、両板状部５２，５２がなす角は、自然状態つまり外圧がかからない状態で鋭角である。
【００２９】
折曲部５１は、縦方向に直交する断面形状が略弧状具体的には円弧状に形成されている〔図１（Ｃ），図２（Ａ）参照〕。具体的には、折曲部５１の断面は略半円弧状であり、保護体Ｂの外方に向かって、膨出するように形成される。両板状部５２，５２は、相互に近接させた状態としても、折曲部５１側付近では互いに当接することはなく離間した状態となり、メガネ７を挿入するための適正なスペースが形成されている〔図１（Ｃ），図２（Ｂ），図３（Ｂ）参照〕。芯材５は、合成樹脂板，金属板，紙材等から形成され、弾性を有することが好適である。合成樹脂板及び金属板は、それ自体で弾性を有しているのでそのまま使用でいる。紙の場合では、厚紙を使用することが好ましい。
【００３０】
芯材５は、被覆材６によって全体が被覆されている。被覆材６は、柔軟性を有する材質で、且つ表面が柔らかく形成されている。具体的には、多数の起毛を有する生地で、ベルベット又はこのような性質の生地が好適である。保護体Ｂは、前記ケース本体Ａの収納部１内に挿入される。
【００３１】
ここで、保護体Ｂの縦方向と、収納部１の縦方向とは一致した状態で保護体Ｂが収納部１に収納されるものである〔図１（Ａ）参照〕。具体的には、保護体Ｂの両板状部５２，５２を対向させた状態で、折曲部５１の長手方向が収納部１の縦方向（上下方向）に沿うようにして保護体Ｂが収納部１内に収納される。
【００３２】
保護体Ｂは、収納部１に収納した状態で、被覆材６によって被覆された芯材５の両板状部５２，５２は、収納部１の正面部１ｆと背面部１ｒとによって挟持状態に保持され、保護体Ｂの上下方向に直交する断面形状は、略扁平Ｃ字形状となる〔図１（Ｃ）参照〕。このとき、被覆材６によって被覆された芯材５は、折曲部５１の弾性力により両板状部５２，５２同士が一定の間隔をおいて離間すると共に、両板状部５２，５２の間隔は、一定以上拡がらないように正面部１ｆと背面部１ｒによって規制される〔図１（Ｂ），（Ｃ）参照〕。
【００３３】
このように、保護体Ｂの板状部５２，５２は、折曲部５１を介して二つ折りの構成とし、収納部１の出入開口１１箇所で、保護体Ｂが略扁平Ｃ字形状となるように、収納部１に収納される。したがって、収納部１の出入開口１１付近では、保護体Ｂの折曲部５１付近で両板状部５２，５２同士は、相互に離間しつつ開き状に構成され、この開き状態の形状が略扁平Ｃ字形状となる。つまり、保護体Ｂが収納部１に収納された状態では、両板状部５２，５２は、縦方向に直交する断面が円弧状或いは湾曲状となる〔図１（Ｃ）参照〕。
【００３４】
保護体Ｂがケース本体Ａの収納部１に収納された状態における両板状部５２，５２の間には、折り畳まれたメガネ７を挿入するようにして収納することができる。前記保護体Ｂは、収納部１の出入開口１１付近では、略扁平Ｃ字形状となって、両板状部５２，５２の中間箇所同士が離間して開いているので、メガネを収納し易い状態となっている。そして、保護体Ｂと共に収納部１に収納されたメガネ７は、両板状部５２，５２によって、丁度良い適正な圧力を受けて収納部１に保持される〔図３（Ａ），（Ｂ）参照〕。さらに、芯材５を被覆する被覆材６によって、メガネ７が外部の衝撃や、過度な圧力から保護することができる。
【００３５】
そして、収納部１の横方向両側より、手で握り、僅かの押圧力Ｆをかけるのみで、収納部１と共に保護体Ｂが横方向に縮まり、収納部１と保護体Ｂとは前後方向に拡大する〔図３（Ｃ），（Ｄ）参照〕。このとき、メガネ７を挟持している両板状部５２，５２は、メガネ７から離れ、メガネ７への保持力が解除され、メガネ７を自由な状態にすることができる〔図３（Ｄ）参照〕。
【００３６】
これによって、収納部１を略逆さま状態にすることによって、メガネ７は、収納部１の出入開口１１からメガネ７自身の重量で飛び出す状態となり、極めて容易にメガネ７をケース本体Ａの収納部１から取り出すことができる〔図３（Ｅ）参照〕。また、メガネ７を収納部１に収納するときにも、取り出すときと同様に収納部１の横方向両側を手で握って僅かに押圧力Ｆをかけるのみで、両板状部５２，５２の間隔が拡がり、メガネ７を収納部１に極めて容易に収納することができ、そのまま手で握る力を緩めることで、保護体Ｂはメガネ７を適正な圧力にて挟持し、メガネ７を収納部１内で保持することができる〔図３（Ａ）乃至（Ｄ）参照〕。
【００３７】
前記手提げ部２は、使用しない場合には、収納部１にそのまま収納する。このとき、収納部１内に収納された手提げ部２は、正面部１ｆと保護体Ｂとの間、或いは背面部１ｒと保護体Ｂとの間に挟まるようにして保持される。そして、ケース本体Ａの収納部１と、保護体Ｂの両板状部５２，５２との間に、手提げ部２を挟んでおくことにより、メガネ７の出し入れ時に手提げ部２が干渉することなく、邪魔になることがない。
【符号の説明】
【００３８】
１…収納部、１１…出入開口、２…手提げ部、２１…付根部、３…ポケット、
３１…ポケット開口、３２…収納袋、Ｂ…保護体、５…芯材、５１…折曲部、
５２…板状部、６…被覆材。
【図１】
0006591743.tif 000002
【図２】
0006591743.tif 000003
【図３】
0006591743.tif 000004
【図４】
0006591743.tif 000005
【図５】
0006591743.tif 000006